Podtech/llm-jp-corpus-v4-ja_patent huggingface dataset:
(57)【要約】      （修正有）【課題】建具内部の空洞部を利用して炭の持つ機能を活用する従来にない活用方法であり、機能的、且つ手軽で経年劣化が低く、合理的な建具を提供する。【解決手段】炭粉を建具内部の空洞部に内蔵する事によって、建具本来の目的を阻害せず、炭の持つ機能を利用して住環境に活用しようとするものであり、建具内部の空洞部を利用する為、外側から直接見えず、炭の色を意識せず、自由な色等の建具を選択する事も出来る、又、通気口を設ける事によって炭の機能を、より発揮する事が可能となる、又、建具制作も従来の工程を大きく変更する必要も無く、合理的である。【選択図】図２
0003150041.tif 000002
【実用新案登録請求の範囲】
【請求項１】
木及び金属製の枠体と該枠体により中の空洞からなる建具において該枠体内部の内面に炭粉が内蔵された構造である事を特徴とする建具。
【請求項２】
前記枠体と該枠体により中の空洞からなる建具において該枠体内部の内面が炭粉でコートされた構造である事を特徴とする建具。
【請求項３】
前記枠体と該枠体により中の空洞からなる建具において該枠体内部に不織布又は紙又は布等に包んだ炭粉を内蔵した構造からなる建具。
【請求項４】
前記請求項２記載の炭粉の粒径が０．０３ｍｍ〜０．８ｍｍであることを特徴とする建具。
【請求項５】
前記請求項３記載の炭粉の粒径が０．０３ｍｍ〜１８ｍｍであることを特徴とする建具。
【考案の詳細な説明】
【技術分野】
【０００１】  本考案は炭の持つ空気浄化、湿度調整等炭の持つ様々な機能を活用する目的として炭粉を利用した建具に関するものである。
【背景技術】
【０００２】  従来炭の良さを利用する様々な使われ方が有った、また住宅等で炭の機能は認められて玄関、便所、居間等いろんな場所に籠などに入れ置いてある家庭は多い、しかしそれでは炭は汚れやすく美的空間を損なって嫌う人も多い、美的空間を損なわず炭の持つ機能を有効的に且つ合理的に活用する事が出来ず、今までこの様に利用されている建具はない。
【考案の開示】
【考案が解決しようとす課題】
【０００３】  現代建築は気密性が非常に高く、高性能化されてきた、それに伴って弊害が多くなったその代表的なものがホルムアルデヒドである、その他にも臭い等問題点が数多く指摘されており、環境問題にも成っているが、有効的な手段が乏しいのが現状である。
【０００４】  本考案は、現代建築物における、この様な問題点を鑑みてなされたものであり、その目的とするところは、建具内部に炭粉を内蔵する事によって炭の持つ機能を活用し経年劣化が低く、簡単に施工できて炭の黒を意識する事も無く自由に好みの建具を提供できる。
【考案が解決しようとす手段】
【０００５】  そこで本考案はこの課題を解決する為に請求項２及び３は建具内部の内面、空洞部を炭粉でコートするか、又は不織布又は紙又は布等に包んだ炭粉を内蔵した構造である建具を考案した、炭の機能を最大限に活用する為には通気口を設け、建具の大きさ、形、内部の状態等により通気口の大きさ、形、位置、個数等を考慮していく事が好ましい。
【考案の効果】
【０００６】  本考案の炭粉を内蔵した建具は従来建具内部の空洞は何も無く何の利用もされていないこの空洞部を最大限に利用し、炭は軽く建具の機能を阻害することなく、炭の持つ機能を最大限に活用し、住宅等建築物内の環境をより快適空間とすることが出来る。
【考案を実施する為の最良の形態】
【０００７】  本考案は従来の建具制作工程で空洞部に炭粉をコートあるいは不織布又は紙又は布等に包んだ炭粉を内蔵し、通気口等を設けた建具である、しかし建具自体素材が通気性のある素材である場合は通気口が必要ではない、従来の一般的に使用されている物であれば上部下部に通気口を設ける事が好ましい、通気口の大きさ、形、位置、個数、等はその建具の大きさ等、状態を考えて、より効果的な工夫をする。
【実施例】
【０００８】  以上添付図面に従って実施例を説明する。
図１は本考案の請求項２の該枠体１により中の空洞部４からなる建具の断面図の例であるが通気口３の大きさ、形、位置、個数、等は自由で構わないが、上部と下部に設け十分通気性を考慮した方が望ましい。
図２は本考案の請求項３の該枠体１により中の空洞からなる建具の断面図の例である。
【図面の簡単な説明】
【０００９】
【図１】本考案の請求項２の断面図である。
【図２】本考案の請求項３の断面図である。
【符号説明】
【００１０】  １  枠体
２  炭粉をコートした状態
３  通気口
４  空洞部
５  不織布又は紙又は布等に包んだ炭粉
【図１】
0003150041.tif 000003
【図２】
0003150041.tif 000004
【手続補正書】
【提出日】平成21年1月28日(2009.1.28)
【手続補正１】
【補正対象書類名】実用新案登録請求の範囲
【補正対象項目名】全文
【補正方法】変更
【補正の内容】
【実用新案登録請求の範囲】
【請求項１】
木又は金属製の枠体と該枠体により中の空洞からなる建具において、該枠体内部の内面に炭粉が内蔵された構造であることを特徴とする建具。
【請求項２】
前記枠体と該枠体により空洞からなる建具において、該枠体内部の内面に炭粉がコートされて内蔵された構造であることを特徴とする請求項１記載の建具。
【請求項３】
前記枠体と該枠体により空洞からなる建具において、該枠体内部に炭粉が不織布又は紙又は布に包まれて内蔵された構造であることを特徴とする請求項１または請求項２記載の建具。
【請求項４】
前記建具枠体内部内面にコートされて内蔵された炭粉の粒径が０．０３〜０．８ｍｍの構造であることを特徴とする請求項２記載の建具。
【請求項５】
前記建具枠体内部に不織布又は紙又は布に包まれて内蔵された炭粉の粒径が０．０３〜１８ｍｍの構造であることを特徴とする請求項３記載の建具。
(57)【要約】      （修正有）【課題】建物やお部屋の壁などに掛けて掲示観賞する壁掛け型観賞植物であって、保湿性に優れた自然木材に観賞用植物を植生して、より低い費用で自然観を促進させて癒し効果を高めることを目的とした自然木材を使った壁掛け型観賞植物に関するものである。【解決手段】観賞植物１を植生した保湿性に優れた自然木材２を壁掛け用のボード３に取付けた自然木材を使った壁掛け型観賞植物である。【選択図】図１
0003150050.tif 000002
【実用新案登録請求の範囲】
【請求項１】
保湿性のある自然木材に観賞用植物を植生して壁掛け用のボードに取付けた自然木材を使った壁掛け型観賞植物。
【考案の詳細な説明】
【技術分野】
【０００１】  本考案は建物やお部屋の壁などに掛けて掲示観賞する壁掛け型観賞植物であって、保湿性に優れた自然木材に観葉用植物を植生して組合せ、より低い費用で自然観を促進させた自然木材を使った壁掛け型観賞植物に関するものである。
【背景技術】
【０００２】  従来、観葉植物など植生する観賞用植物においては鉢やプランターなどの容器に植生して床上、机上、棚上などに立てた状態での観賞が一般的であったし、これらの問題を解決する手段として弊社が開発して実用新案として登録している「額に入れた壁掛け型観賞用植物」に於いては、植物根茎の保水性が優れ植生を促進する植生基盤材の構成が複雑で手間や費用がかかるなどの問題があったし、植生基盤材関連のデザイン構造が自然観に劣るといった問題もあった。
【考案が解決しようとする課題】
【０００３】  額に入った絵画などは壁など縦面に掲示されて視界的にも鑑賞用として最適な配置となり観賞に有効に作用していますが、植生する観賞用植物は鉢植えやプランター植えなどが一般的であり床や机や棚などに立てた状態での観賞であって、視界的にも観賞用として満足し得るものではなかったし、観賞の状態的にもマンネリ化の問題もあった。
【０００４】  観賞をより有効に楽しむためには、視界の配置的に最も有効と言われている額に入った絵画とほぼ同様なポジションに植生する観賞用植物を掲示できる技術の開発が必要であった。
【０００５】  保水性に優れ植物根茎の植生を促進する素材や材質で構成する植生基盤関連材は構造的に複雑で製作費用もかかるといった問題があった。
【０００６】  額に入れた壁掛け型観賞植物に於いては自然観に富んだ観賞が最重点課題であったが、植生基盤材関連のデザインなどは自然観に劣るといった問題があった。
【課題を解決する手段】
【０００７】  本課題を解決する基本的手段を説明すれば、
代表的な観賞用植物として栽培される蘭などの植生する観賞用植物と保湿性に優れた自然木材を組合せて壁掛け構造とした壁掛け型の観賞用植物であり、概要を図面により説明すれば、植生した根と葉と茎と花などからなる観賞植物１と保湿性に優れた木皮で覆った自然木材２とを組合せた基本構成である。
【０００８】  観賞植物１を植生した保湿性に優れた自然木材２を壁掛け用のボード３に取付けた自然木材を使った壁掛け型観賞植物である。
【作用】
【０００９】  本考案の作用を述べると、
保湿性の良い自然木材２に蘭などの観賞植物１を植付け水や栄養分を注入することで植生する作用である。
【００１０】  自然木材２に植生した蘭などの観賞植物１を壁掛け用のボード３に取付けて壁などの縦面へのセットを容易にする作用である。
【００１１】  観賞植物１を天然木皮で覆った自然木材２に植生することにより、より自然観を向上させる作用である。
【考案を実施するための最良の形態】
【００１２】  具体実施例を述べれば、
（イ）観賞植物１の代表的な品種である胡蝶蘭を杉などの自然木材２に植生して壁掛け用のボード３に取付けた自然木材を使った壁掛け型の観賞植物。
（ロ）観賞植物１の蘭などに於いては花部や葉部や茎部の観賞は勿論のこと植生した根部のデザイン構造を観賞して楽しむことを特徴とした自然木材を使った壁掛け型の観賞植物。
（ハ）自然木材２には保水力に優れた杉材や檜材を適用し、自然観や保湿性を良くするため木皮で覆った構成とする。
（ニ）自然木材２は半材または丸材や木片や平板とする場合がある。
（ホ）自然木材２の上面に穴を掘り保湿用の保水穴とするし、穴部に水苔などの保湿材を組合せる場合がある。
（ヘ）自然木材２の下面に保湿用の吸水用タンクを設ける。
（ト）デザイン構成に於いて壁掛け用のボード３を廃止して自然木材２を、その代用とした構成とする。
（チ）壁掛け用のボード３を自然木材２や木皮で覆った構成とする。
（リ）壁掛け用のボード３を大型構造として複数の自然木材２と観賞植物１を組合せて総合的な大型観賞物とする。
【効果】
【００１３】  本考案により建物やお部屋の壁などの縦面において最適な視界条件のもとに自然豊かな蘭などの観賞用植物を観賞して楽しむことが出来ますし、観賞用植物の成育変化状況の観賞や育てる楽しみを味わうこともでき、特に植生植物の開花時の感動は大変素晴らしい効果である。
【００１４】  また、ボードに装着して自然木材に組合せた壁掛け型観賞植物は移設や掛け替えが容易であり変化に富んだ観賞を楽しめます。
【００１５】  本考案の観賞植物と自然木材を組合せた壁掛け型観賞植物により建物や室内などでの今までに無かったより自然的で新しい配置での観賞空間を生み出すことができますし、環境汚染により緑化運動の推進が叫ばれている今日において室内の自然的な緑化を拡大し癒し効果を高めて健康で明るく楽しく環境に良い社会づくりに大きく貢献するものであります。
【図面の簡単な説明】
【００１６】
【図１】本考案の一例を示す自然木材を使った壁掛け型観賞植物の斜視図
【符合の説明】
【００１７】１は観賞植物
２は自然木材
３はボード
【図１】
0003150050.tif 000003
(57)【要約】【目的】  製造コストが低く、形状維持機能と可撓性があって外観美を保持し、コンパクトで脱着が簡単な、ブラジャー肩紐のカバーを提供すること。【構成】  ブラジャー肩紐のカバー２は、布、シリコンゴム、樹脂フィルム等の可撓性のある材質からなるシート３、マグネットラバーシート４、５で構成され、シート３はブラジャーの肩紐１を包んで折りたたまれ、マグネットラバーシート４、５が互いに対面して付くようシート３の端部に貼り付けられ、シート３の閉じた形状を保持している。【選択図】図２
0003150100.tif 000002
【実用新案登録請求の範囲】
【請求項１】
布、シリコンゴム、樹脂フィルム等の可撓性のある材質からなるカバーシートをブラジャーの肩紐を包むように折りたたみ、折りたたんで閉じる箇所の対面する該カバーシートの端部のそれぞれに、マグネットラバーシートを互いに対面するように貼り付けたことを特徴とするブラジャー肩紐カバー。
【考案の詳細な説明】
【技術分野】
【０００１】  この考案は、女性のブラジャー肩紐のカバーに関する。
【背景技術】
【０００２】  自らの肩と首と胸の美しさを顕示したい女性は、肩紐のないブラジャーを装着して、冬でも肩と首と胸の一部をむき出しにしたドレスやセータを着込んでいるのが見受けられる。【０００３】  しかしながら、肩紐のないブラジャーは、思いきり笑って息を吐いた場合には、胸周りの断面積が小さくなってブラジャーが下にずれ落ちるという不具合がある。【０００４】  肩紐のないブラジャーのずれ落ちを防止するため、シリコンゴムを装着したものがある。しかし、シリコンゴムは汗を蒸発しにくくて不快感があり、また、シリコンゴムが直接皮膚に接触するため、体質によっては皮膚に発疹が発生することもある。【０００５】  そうかと言って、ブラジャーの肩紐をむき出しにすることは、淑女にとって、はしたなくて耐えがたいので、肩紐のないブラジャーの不便と不快感を我慢するか、または、せっかくの美しい肩と首と胸の美しさをブラジャーの肩紐と一緒に隠すしか選択肢がなかった。【０００６】  上記の不具合とニーズに鑑みて、特開２００６−３４８４５１において、ブラジャー肩紐のカバーが提案されている。この提案では、ブラジャー肩紐を包んで止める際に、ジッパーまたはホックの使用を提案している。【０００７】  しかしながら、ジッパーまたはホックでカバーを閉じる構造では、複雑で製造の手間がかかって価格高となるだけでなく、肩紐カバーを取り付けた際の、肩紐も含めた断面積が大きくなり、衣服の下の肩紐カバーのシルエットが目立ってファッション性を損なう。【０００８】  上述したように、特開２００６−３４８４５１において提案されているブラジャー肩紐のカバーは、ファッション性、製造コストの両面から実現性に乏しかった。
【考案の開示】
【考案が解決しようとする課題】
【０００９】  本考案は、前記したような従来のブラジャー肩紐カバーの不具合に鑑みてなされたもので、簡素な構造でコンパクトであり、ファッション性に優れ、製造コストの小さいブラジャー肩紐カバーを提供することを目的とする。
【課題を解決するための手段】
【０００１０】  本考案は、布、シリコンゴム、樹脂フィルム等の可撓性のある材質からなるカバーシートをブラジャーの肩紐を包むように折りたたみ、折りたたんで閉じる箇所の対面する該カバーシートの端部のそれぞれに、マグネットラバーシートを互いに対面するように貼り付けたことを特徴とする。
【考案の効果】
【０００１１】  本考案では、ブラジャー肩紐を包む可撓性のあるカバーシートを折りたたんだ上で、折りたたんで閉じる箇所の対面する該カバーシートの端部を薄いマグネットラバーシートで固定するようにしているため、全体として薄く、幅も必要十分な幅に収まり、コンパクトで外観を損なわない。【０００１２】  また、また、カバーの脱着が容易で便利であり、部品点数も少なく、製造も簡単であるのでコストも小さくできる。カバーシートにカラーコーオーディネイトを施せば、ファッション性にも優れたものとなる。【０００１３】  すなわち、本考案では、可愛い、簡単、価格が安い、という有望商品としての３Ｋの要素をすべて実現している。
【考案を実施するための最良の形態】
【０００１４】  以下に図面を参照して本考案に係わる実施例の形態例を詳細に説明する。以下、本考案の実施例を図１、図２、および図３に従って説明する。
【実施例】
【０００１５】  図１は、ブラジャーの肩紐１にカバー２を装着して裏面（身体に接する側）から見た図であり、図２は図１における断面Ａ−Ａを拡大表示した図である。【０００１６】  図２においてカバー２は、布、シリコンゴム、樹脂フィルム等の可撓性のある材質からなるカバーシート３、マグネットラバーシート４、およびマグネットラバーシート５で構成されている。【０００１７】  カバーシート３は、ブラジャーの肩紐１を包むように折りたたんで成形されており、マグネットラバーシート４、５が互いに対面するようにカバーシート３の端部に貼り付けられている。マグネットラバーシート４、５が互いに引き合うことによって、カバーシート３を閉じた形でブラジャーの肩紐１を包み、カバー２の形を保持する。【０００１８】  図３で該カバー２の装着方法を説明する。先ず、同図（ａ）に示すように、マグネットシート５を上向きにして設置する。マグネットシート４は破線で示すように裏面にある。【０００１９】  次に、同図（ｂ）に示すように、ブラジャーの肩紐１を中央に置き、同図（ｃ）に示すように、マグネットラバーシート４を矢印ｐに示すように、めくって表に出し、該肩紐１の上に重ねる。【０００２０】  同図（ｄ）に示すように、マグネットラバーシート５を矢印ｑ方向に折りたたんで、マグネットシート４と重ねると装着が完了する。【０００２１】  すなわち、本考案に基づくブラジャーの肩紐カバーの製造工程は、カバーシートの成形とマグネットラバーの切断、接着を行うだけで、縫い付けなどの煩雑な作業は発生しない。また、部品点数も少なく作りやすいので、製造コストを引き下げることができる。【０００２２】  また、カバー２の主要部品であるカバーシート３は、マグネットラバーシートによって動きを固定されるため、形崩れや皺が発生しにくく、良好な外観美を維持しながら、可撓性があるのでブラジャーの肩紐に馴染む。【０００２３】  さらに、マグネットラバーシート４、５は薄いのでカバー２全体を薄くコンパクトにまとめながら、カバー２をブラジャー１に固定させ、脱着も簡単である。
【図面の簡単な説明】
【００２４】
【図１】は、本考案によるカバーをブラジャー肩紐に装着した時の外観図。
【図２】は、本考案によるカバーの構成を示す断面図。
【図３】は、本考案によるカバーをブラジャー肩紐に装着する手順を説明する図。
【符号の説明】１    ブラジャーの肩紐２    カバー３    カバーシート４    マグネットラバーシート５    マグネットラバーシート
【図１】
0003150100.tif 000003
【図２】
0003150100.tif 000004
【図３】
0003150100.tif 000005
(57)【要約】      （修正有）【課題】洗面時等にその様子を顔を上げずにそのままで観察できる鏡つき洗面器具を提供する。【解決手段】洗面時に使用する容器１の底辺部に、鏡２を設けることにより、洗面時のうつむいて濡れたままの状態が鏡に写り、そのままで顔の状態や様子を観察できるので、石鹸の泡や水滴などが垂れ下がって体や衣服に伝わって濡れるという不愉快な思いをすることがない。【選択図】図１
0003150095.tif 000002
【実用新案登録請求の範囲】
【請求項１】
洗面時に使用する容器の底辺部に鏡を設けた、洗面時に使用する容器と鏡を組み合わせた洗面器具。
【考案の詳細な説明】
【技術分野】
【０００１】  本考案は、洗面時に使用する容器の底辺部に鏡を設けた、洗面器具に関するものである。
【背景技術】
【０００２】  従来、洗面時の際、洗面時に使用する容器と鏡は、別々になっていた。
【考案の開示】
【考案が解決しょうとする課題】
【０００３】  しかし、これでは洗面時、洗面のまま別な鏡に向かって顔を上げて洗面の状態、様子を観察したいとき、顔、手から垂れ下がってくる石鹸の泡、水の滴等が体、衣服等にかかり、濡れて不愉快である。
【課題を解決するための手段】
【０００４】  そこで、洗面時に使用する容器（１）の底辺部に鏡（２）を設けた。この洗面器具により洗面、歯磨の様子等が鏡に写り、顔を上げないまま、そのままで観察できるのである。
【考案の効果】
【０００５】  よって、本考案の洗面器具を使用することにより、石鹸の泡、水の滴等が垂れ下がることなく、体にかかったり、衣服にかかって濡れることもなく、洗面、歯磨の状態、様子を観察することが出来、不愉快な思いしなくてもよい。
【考案を実施するための最良の形態】
【０００６】  本考案に係る洗面器具は、図１に示すように、洗面時の容器（１）の底辺部に鏡（２）を設けてある。洗面時に使用する本考案による容器、鏡の素材は、種類は問はない。又、形、大きさ、色も、自由に選択出来る。
【図面の簡単な説明】
【０００７】
【図１】  本考案に係る洗面器具の断面図である。
【符号の説明】
【０００８】  １    洗面時に使用する容器
２    容器の底辺部に設けた鏡
【図１】
0003150095.tif 000003
(57)【要約】      （修正有）【課題】瞬間接着剤、ＵＶ硬化樹脂等微小な隙間で硬化する嫌気性液体等の吐出装置用シリンジを提供する。【解決手段】ピストンと、シリンジ筒との接触部の円周突起を２箇所とし、その外径をシリンジ筒内径より若干大きく形成し、シリンジ筒を薄肉にしたシリンジである。ピストンは２箇所の円周突起でシリンジ筒内に保持されるため、１点で保持するより強い気密保持が可能となる。【選択図】図１
0003150098.tif 000002
【実用新案登録請求の範囲】
【請求項１】
シリンジ筒２とピストン３で構成し、ピストン３のシリンジ筒２との接触部は複数の円周突起とし、円周突起の直径はシリンジ筒２の内径より若干大きい寸法とし、シリンジ筒２の胴部６は合成樹脂材の薄肉で形成したことを特徴とするシリンジ。
【考案の詳細な説明】
【技術分野】
【０１】瞬間接着剤、ＵＶ硬化樹脂等微小な隙間で硬化する嫌気性液体等の吐出装置用のシリンジに関する。
【背景技術】
【０２】嫌気性液体用の吐出装置の発明として、特願２００７−２０００３２が提唱されており、この発明ではピストンの円周突起は１箇所として別に案内部を形成している。この案内部に液充填時に空気が残る、案内部を省くとピストンは傾き液が洩れる、等の不具合がある。【０３】本考案では円周突起を２箇所、ピストン両端に各々形成し、シリンジ内でのピストンの傾きを防止すると共に、突起部間に形成される密閉された空間に液、空気、ガス等を閉じ込め、微小に洩れた液の乾燥を防止する。
【実施例１】
【０４】シリンジ１は、シリンジ筒２とピストン３で構成する。ピストン３の右端と左端の各々に、円周突起４及び５を形成し、その形状は算盤の玉状とし、尖がった先端でシリンジ筒２の内面と接触し、直径はシリンジ筒２の内径より若干大きい寸法とする。シリンジ筒２の胴部６は薄肉で形成し、ピストン３の円周突起４及び５と経合するとき、その弾力で外側に膨れ、接触圧で気密を確保する。円周突起４及び５の形状は実質的には鋭利な尖りでなく、若干の平坦部を設ける、円弧状に形成する、２山に形成する等摩耗に強い形状にする。シリンジ１の材質はポリエチレン等の合成樹脂とする。ピストン３の材質も同様とし、右端面中心にねじ穴９を設け、ピストンロッド等に連結する。
【作用】
【０５】シリンジ筒２内に液７を充填し、ピストン３をシリンジ筒２内に押し込むと、液７はシリンジ１の吐出口８より吐出する。
【０６】シリンジ筒２とピストン３の接触は、円周突起４及び５による細い線接触となり、隙間がないから液の硬化作用が発生しない。
【考案の効果】
【０７】ピストン３は、円周突起４及び５の２点でシリンジ筒２内に保持され、ピストン３の傾くのを防止している。２点で気密を保持するので１点より強い気密保持が可能。
【０８】Ｏリング溝の様な空気を閉じ込めるポケット部が無いので液中に気泡を巻き込まない。
【０９】瞬間接着剤、ＵＶ樹脂等嫌気性液体に適応可能となる。
【１０】円周突起４及び５間の溝１０内は気密に保たれ、円周突起４から微小に洩れた液の乾燥を防止できる。また溶剤、ガス等を注入して乾燥を防止できる。溶剤、ガス等はシリンジ筒２に微小な穴を設置し、注射針にて注入できる。注入後はピストンをさらに押し込み、注入物の漏れを防止する。
【１１】Ｏリング等のゴム材がないので、シリンジ筒２の材質をＰＦＡ，ＰＴＦＥ、ＥＴＦ等とし、ピストン３の材質も同様とすると、強酸、強アルカリ性の液、純水等に適応できる。
【１２】円周突起はピストン３の両端だけでなく中央部にも複数個設けることもでき、漏れ止め効果を高めることが可能である。
【図面の簡単な説明】
【１３】
【図１】実施例１の断面図
【符号の説明】
【１４】１：シリンジ      ２：シリンジ筒      ３：ピストン      ４：円周突起
【図１】
0003150098.tif 000003
(57)【要約】      （修正有）【課題】リニアモーターカー（鉄道）の車両側の有するブレーキに、プラットフォーム側にもブレーキ機能を持たせて制動距離、制動時間の短縮を計るブレーキシステムを提供する。【解決手段】リニアモーターカー１、の有するブレーキ用フック３、とプラットフォームを構成しているブレーキ用スライドガイド５等に設けたブレーキ用ワイヤ又はチェーン４、４１、４２を選択引っ掛け絡ませブレーキ用横型エレベータシステム６、をブレーキ荷重としてブレーキに加え、ブレーキ用ワイヤ４、４１，４２の繰り返し使用の定点設定のブレーキ用横型エレベータシステム６、の運用により制動時間、制動距離の短縮を計ることができる鉄道ブレーキシステムを構成する。【選択図】図１
0003150059.tif 000002
【実用新案登録請求の範囲】
【請求項１】
ブレーキ用フックを有した鉄道車両と、それに引っ掛けるブレーキ用ワイヤ又はチェーンを具備してプラットフォームを構成する鉄道ブレーキシステム。
【請求項２】
ブレーキ用ワイヤの定点設定、くり返し使用を計るために固着しているブレーキ用スライドガイドと運用するブレーキ用横型エレベータシステムを具備する事を特徴とする請求項１記載の鉄道ブレーキシステム。
【考案の詳細な説明】
【技術分野】
【０００１】
本考案は、従来の高速鉄道のための鉄道ブレーキシステムに関する。
【背景技術】
【０００２】
中国の上海では、ドイツの技術を取り入れたリニアモーターカーが、時速４３０ｋｍで運行されています鉄道ブレーキシステムです。
【考案の開示】
【考案が解決しようとする課題】
【０００３】
しかしながら、上海のリニアモーターカーでは、超電導磁石とリニアモーターカーによる鉄道ブレーキシステムで制動距離、制動時間の短縮に限りがある。
【０００４】
本考案は、上記実情に鑑みてなされたものであり、速さを情報の認識としたシュミレーション技術から速さと時間のトレードオフを情報の認識とするエコロジー処理技術の変革を目的としている。
【課題を解決するための手段】
【０００５】
上記目的を達成するため考案は、フィードフォワード制御のシミュレーション技術にフィードセンター制御のエコロジー処理技術を追加した変革であり次の構成を含むことを特徴としている。リニアモーターカー（鉄道）の有するブレーキ用フックとプラットフォームの有するブレーキ用ワイヤが引っ掛かり絡んでリニアモーターカーの自己制動に追加したプラットフォームの他者制動により急ブレーキとし、ブレーキ用フックの繰り返し使用にブレーキ用スライドガイドとブレーキ用横型エレベーターシステム（ワードレオナード制御）が採用された鉄道ブレーキシステムである。
【考案の効果】
【０００６】
本考案により、制動距離、制動時間の短縮を限りなく計れる鉄道ブレーキシステムとできる。
【考案を実施するための最良の形態】
【０００７】
本考案の実施の形態の一例について、図面を参照しながら説明する。
鉄道ブレーキシステムは、図１に示すように、リニアモーターカー１、の有するブレーキ用フック３、とプラットフォームを構成しているブレーキ用スライドガイド５、５１に設けたブレーキ用ワイヤ４、４１、４２を選択し、引っ掛け絡ませブレーキ用横型エレベータシステム（ワードレオナード制御）６、をブレーキ荷重としブレーキに使い、ブレーキ用ワイヤ４、の繰り返し使用の定点設定のブレーキ用横型エレベータシステム６、の運用により超電導磁石によるシュミレーション技術に、エコロジー処理技術を追加している。
【図面の簡単な説明】
【０００８】
【図１】本考案の鉄道ブレーキシステムを示す図である。    鉄道ブレーキシステムは、図１に示すように、リニアモーターカー１、超電導磁石２、ブレーキ用フック３、ブレーキ用ワイヤ４、４１、４２、ブレーキ用スライドガイド５、５１、ブレーキ用横型エレベータシステム（ワードレオナード制御）６
【符号の説明】
【０００９】
１．              リニアモーターカー（鉄道）
２．              超電導磁石
３．    ブレーキ用フック
４．４１．４２．  ブレーキ用ワイヤ又はチェーン
５．５１．        ブレーキ用スライドガイド
６．ブレーキ用横型エレベータシステム（ワードレオナード制御）
【図１】
0003150059.tif 000003
【手続補正書】
【提出日】平成21年2月20日(2009.2.20)
【手続補正１】
【補正対象書類名】実用新案登録請求の範囲
【補正対象項目名】請求項２
【補正方法】変更
【補正の内容】
【請求項２】
プラットフォームの構造として、固着してあるブレーキ用スライドガイド上をブレーキ用横型エレベータシステムにブレーキ用ワイヤを保持し移動する事で鉄道車輌のブレーキ点をくり返しセットできる構成している事を特徴とする請求項１記載の鉄道ブレーキシステム。
(57)【要約】      （修正有）【課題】ペットの安全性に考慮した快適な環境で簡易且つ安価に製造できる猫用のベッドを提供する。【解決手段】左右一対のＵ字型フレーム１，２の上部開端部２ａにベッド本体３を架構して取り付け、ベッド本体の下端面６を窓枠の下かまち４に接着布で取り付け、フレーム１，２の下部開端部の先端２ｂを腰壁５に突き当て使用する構成とする。【選択図】図１
0003150051.tif 000002
【実用新案登録請求の範囲】
【請求項１】
左右一対のＵ字型フレームの上部開端部にベッド本体を架構して取り付け、ベッド本体の下端面を窓枠の下かまちに接着布で取り付け、フレームの下部開端部の先端を腰壁に突き当て使用する構成の猫用ベッド。
【考案の詳細な説明】
【技術分野】
【０００１】
本考案は猫のアメニティーを向上させる、窓枠さえあればどこにでも取り付け可能な猫用ベッドに関する。
【背景技術】
【０００２】
陽の当たる縁側におかれた座布団の上でひなたぼっこをしながら気持ち良さそうに快眠する猫。しかし、都市部の住宅事情ではこのような猫の贅沢は夢のまた夢。共同住宅を主体とする大都市の住宅事情に適応した最善の技術はベランダなど陽があたるところを選び、日照が陰ると人為的に移動させる竹細工やラタン製の網かごにバスタオルやベビーサイズの毛布を入れるという工夫がその中心であった。
しかし、この技術は床面積が限られる都市部の住環境では足元がじゃまになり、また、縁側のように外の風景が見えないため猫にとって縁側に代わる環境を提供するものではなかった。
【考案の開示】
【考案が解決しようとする課題】
【０００３】
本考案はかかる問題点を解決するものであり、ペットの安全性に考慮した快適な環境の提供を簡易且つ安価に製造できるものを市販に提供しようとするものである。
【課題を解決するための手段】
【０００４】
本考案が提供する猫用ベッドは、左右一対のＵ字型フレームの上部開端部にベッド本体を架構して取り付け、ベッド本体の下端面を窓枠の下かまちに接着布で取り付け、フレームの下部開端部の先端を腰壁に突き当て使用する構成のものである。   
【考案の効果】
【０００５】
本考案の猫用ベッドは以上の通り構成したので、ペット好みの窓枠に自在に取り付けることが出来る。また、簡単に設置場所を変えることも可能である。
【考案を実施するための最良の形態】
【０００６】
以下、本考案の実施の形態を実施例によって説明する。図1は実施例の猫用ベッドの斜視図。図2は窓枠でも取り付け状態を示す断面図である。
図において、1と2は左右一対のＵ字型のフレームである。3は両フレーム1、2の上部開端部2a、に架構して取り付けたベッド本体である。このような構成となっているので。これを窓枠に取り付けるときに次の要領で行う。
まず、ベッド本体の下端面６を窓枠の下かまち4に接着布で取り付け、フレームの下部開端部の先端2bを腰壁5に突き当てて取り付ける。  
【０００７】
近年流行しているデザイナーズマンションなどの特殊な窓枠でも枠幅が５センチあれば十分な強度をもった設置が可能であり、脚の強度においても８mm設置具を左右二本づつ使うことにより１０kg程度重さには耐えられる強度を実現している。
【０００８】
猫用ベッドに使用される布地も夏仕様のカンバス地、タオル地、冬仕様のムートン地などバラエティーに富んだ選択が可能であり、衛生的にも素早い交換が可能なのですぐに洗濯することができる。
【図面の簡単な説明】
【０００９】
【図１】実施例の猫用ベッドの斜視図
【図２】図１の断面図である
【符号の説明】
【００１０】
１      Ｕ字型フレーム
２a     上部開端部
２b     下部開端部の先端
３      ベッド本体
４      下かまち
５      腰壁
６      ベッド本体の下端面
【図１】
0003150051.tif 000003
【図２】
0003150051.tif 000004
(57)【要約】      （修正有） 【課題】分譲マンションの管理機能を高めることができる分譲マンション向管理カレンダーを提供する。【解決手段】カレンダーに管理会社業務、点検作業、管理組合活動と居住者・組合員関連の各欄に月、週、日及び曜日を表示し、その日の作業予定を追加記入することで、管理・運営機能を持った分譲マンション向管理カレンダーである。マンション住民らは管理会社業務、点検作業、管理組合活動と居住者・組合員関連の情報開示により安心、安全と良好な住環境等及び高い管理機能を得る。さらに年度総会の管理業務報告書に流用し、年度報告書と共に保管することが将来、そのマンションの来歴資料にもなる。【選択図】図１
0003150058.tif 000002
【実用新案登録請求の範囲】
【請求項１】
毎年発行されるカレンダーは1月から12月の12枚で構成され、それぞれ所定の月、日及び曜日を表示し、管理会社業務、点検作業、管理組合活動と居住者・組合員関連をその日の表示箇所に記入欄を設けたことを特徴とする分譲マンション向け管理カレンダー。
【請求項２】
前記管理秋者業務欄に分別ゴミ回収後清掃、作業員の勤務の記入欄を設けたことを特徴とする請求項1のカレンダー。
【請求項３】
前記点検作業欄に作業項目、担当作業区分等の記入欄を設けたことを特徴とする請求項1のカレンダー。
【請求項４】
前記管理組合活動欄に活動種類、時刻、開催場所、目的等の記入欄を設けたことを特徴とする請求項1のカレンダー。
【請求項５】
前記居住者・組合員関連欄に住民の入居・転出、リフォーム工事、オープンハウス等の記入欄を設けたことを特徴とする請求項1のカレンダー。
【考案の詳細な説明】
【技術分野】
【０００１】
本考案はカレンダーの改良に関する。
【背景技術】
【０００２】
本来のカレンダーは、日常生活における必需品であり、12ケ月を1枚にしたものや12
ケ月を12枚に分けたもの等が一般に使用されている。これらのカレンダーの内容はメモ形、デザイン形、風景写真形等が多い。メモ形のカレンダーはその日の予定、出来事や記録メモ等に使用され、古くなったカレンダーは新年度に処分されるか、数年保管され処分されるのが一般的である。
【０００３】
メモ形のカレンダーはその日の予定、出来事や記録メモ等に使用され、古くなったカ
レンダーは新年度に処分されるか、数年保管され処分されるため、将来の記録としての効果がうすい。
【０００４】
これらのカレンダーは毎年廃棄されるため資源の無駄になり、製紙工場の廃水は有害な化学薬品を含むため公害の発生にもなる。
【０００５】
【特許文献１】実用新案登録3009554号公報
【考案の開示】
【考案が解決しようとする課題】
【０００６】
この種のカレンダーは実用新案登録3009554号に廃棄処理による資源の無駄や公害の原因になる。従来のカレンダーが持つこれらの課題を解決している。しかも毎日記録した気象、健康記録等はこれらの管理の資料として利用され、資源の節約にもなる。
【課題を解決するための手段】
【０００７】
本考案のカレンダーは、分譲マンションの管理会社業務、点検作業、管理組合活動、居住者・組合員関連等を週及び日の欄に該当事項を追加記入することで分譲マンション管理機能を高めることができ、マンションの価値を保持及び向上させる。
【考案の効果】
【０００８】
本考案のカレンダーは分譲マンションの管理会社業務、点検作業、管理組合活動、居住者・組合員関連等を週及び日の欄に該当事項を追加メモし、分譲マンション内の掲示板や管理事務所等にこれらの情報を開示することで、マンション居住者らに安心、安全と良好な住環境等が確保でき、質の良い管理がマンションの機能や価値を保持及び向上になる。
【考案を実施するための最良の形態】
【０００９】
図-1の実施例より詳記すると、カレンダーはそれぞれ所定月の日及び曜日を表示し、管理会社業務、点検作業、管理組合活動と居住者・組合員関連等をその日の表示箇所に記入欄を設け、追加記入することにより、マンション住民らは管理状態を知り、防火・防犯対策と分譲マンションの財産の保持及び向上を高める。
管理会社業務とは曜日による分別ゴミ回収後の清掃、勤務の休日、担当管理員の休みの代理員出席等を開示することが、住民らの管理に対し関心を高めることになる。
点検作業とは作業項目と担当作業区分を明確にすることは、管理委託契約による履行の
確認ができる。
管理組合活動とは理事会、専門委員会、総会、自衛消防訓練等の組合活動開催日とその目的を開示し、住民ら参加及び協力による管理の関心を高めることになる。
居住者・組合員関連とは外来業者が事前にマンションの出入りや施設使用等の申請書を管理事務所に提出し、許可を得る。管理事務所はその旨をカレンダーに追記し、掲示板に公示する。これは無許可の外来業者の出入りを防止し、防犯等の安全・安心を高める。
上記により安心、安全と良好な住環境等により高い管理機能を得る。さらに年度総会の管理業務報告書としても流用することで無駄な作業がなくなるし、そのマンションの来歴資料とにもなる。
【図面の簡単な説明】
【００１０】
【図１】本考案の実施例の全体図である。
【図２】図-1における管理会社業務欄はゴミ回収清掃、勤務日の記入例の図である。
【図３】図-1における点検作業欄は作業の種類、担当区分と施行日の記入例の図である。
【図４】図-1における管理組合活動欄は活動の種類、時刻、開催場所、目的等の記入例の図である。
【図５】図-1における居住者・組合員関連欄は住民らの動静、専有部分内の工事、オープンハウス等の施行日の記入例の図である
【図１】
0003150058.tif 000003
【図２】
0003150058.tif 000004
【図３】
0003150058.tif 000005
【図４】
0003150058.tif 000006
【図５】
0003150058.tif 000007
【手続補正書】
【提出日】平成21年2月23日(2009.2.23)
【手続補正１】
【補正対象書類名】実用新案登録請求の範囲
【補正対象項目名】請求項１
【補正方法】変更
【補正の内容】
【請求項１】
毎年発行されるカレンダーは1月から12月の12枚で構成され、それぞれ所定の月、日及び曜日を表示し、管理会社業務、点検作業、管理組合活動と居住者・管理組合関連の情報を記入するための記入欄を、それぞれの日に表示箇所に対応して設けたことを特徴とする分譲マンション向け管理カレンダー。
【手続補正２】
【補正対象書類名】実用新案登録請求の範囲
【補正対象項目名】請求項２
【補正方法】変更
【補正の内容】
【請求項２】
前記管理会社業務欄に分別ゴミ回収後清掃、作業員の勤務の記入欄を設けたことを特徴とする請求項1のカレンダー。
(57)【要約】      （修正有）【課題】指で下げて使用することができ、摘んで持つよりは持ちやすく安全であり、簡単低コストで作成できて、本体部材の紙以外は使用していないのでリサイクルにも貢献できる紙袋を提供する。【解決手段】袋の開口部寄りの前面２と後面３に手提げ用の孔４ａ，４ｂ，５ａ，５ｂを形成し、袋を平坦に畳んだ際は４ａと５ａが又４ｂと５ｂがそれぞれ重なり、折り線７で折ったときは４カ所の孔が全て重なり手提げ用の孔が形成され、曲折部は４枚の紙が重なることにより強度が増し破れにくくなる。【選択図】図１
0003150081.tif 000002
【実用新案登録請求の範囲】
【請求項１】
袋にあけた孔は袋を平坦に畳んだ際は前面と後面の上部の孔が、また前面と後面の下部の孔がそれぞれ重なり合う位置に形成され、前面部の上下の孔の中間部を折ると前面部の孔と後面部の孔が重なり合う手提げ用孔あき紙袋。
【請求項２】
前記穴は袋の開口部寄りの前面に複数の孔及び後面に複数の孔をあけて形成している請求項１に記載の手提げ用孔あき紙袋。
【考案の詳細な説明】
【技術分野】
【０００１】  本考案は、紙袋に孔をあけるだけで安全で持ちやすくする、紙袋に関するものである。
【背景技術】
【０００２】  コーヒーショップ等や小売店で持ち帰りする際に使用する紙袋は上部を折るだけである。
【考案の概要】
【考案が解決しようとする課題】
【０００３】  本考案は袋本体の部材だけで構成されており、低コストで丸ごと紙としてのリサイクルが可能であり、孔をあけるだけで袋を持ちやすく、持つのが楽になる。
【課題を解決するための手段】
【０００４】  紙袋の前面部及び後面部の開口部付近上下に各２個の孔を縦に配列し、前面部と後面部の孔が重なるように折ることで手提げ用の孔が出現する。
【考案の効果】
【０００５】  上下にあけたの孔が重なるように上部を二つ折りにすることで、ただ摘んで持つのに比べ、指が入るので持ちやすく落としにくくなり持つのが楽になる。【０００６】  折曲部は紙が４枚重なることによって強度が非常に強くなり破れにくくなる。
【図面の簡単な説明】
【０００７】
【図１】本考案に係わる袋の斜視図。
【図２】本考案に係わる袋の使用状態を示す図。
【考案を実施するための形態】
【０００８】  本考案の実施形態として幅１３０ｍｍ、高２３０ｍｍ、マチ８０ｍｍの大きさの袋を例にとるが袋の大きさは例にとらわれず広範囲に応用される。袋本体の前面開口部上辺の中央から１５ｍｍ下に高さ２０ｍｍ幅３５ｍｍの孔をあけ、さらにその孔の下辺から３０ｍｍ垂直下に同様のの孔をあけ、後面にも前面と同様の孔をあける。袋の上辺から５０ｍｍ下の位置で開口部を閉じるように折ると前面２つの孔と後面２つの孔が全て重なり合い手提げ用の孔が形成される。孔をあける位置や孔の寸法は袋の大きさや袋の中に入れる物品によりこの限れではなく広範囲に応用される。また、孔の形状についても楕円だけではなく円やハート型、簡単な動植物のシルエット型など多様な型が用いられる。
【符号の説明】
【０００９】１  袋
２  前面
３  後面
４  前面の孔
５  後面の孔
６  折曲部
７  折り線
【図１】
0003150081.tif 000003
【図２】
0003150081.tif 000004
(57)【要約】      （修正有）【課題】長さおよびモダン部の形状を調整することのできる眼鏡用テンプルを提供する。【解決手段】長さを調整する為に、テンプル本体３の後端部分に小突起６を設け、モダン部５にスライド孔８とテンプル本体３と嵌合し固定するための複数の穴９ａ〜９ｅを設けて、さらに形状を変形させ使用者の耳介部に正しく係合する為に、モダンの内部に予め金属芯７を設ける。【選択図】図１
0003150086.tif 000002
【実用新案登録請求の範囲】
【請求項１】
眼鏡フレームフロントとヨロイ部を介し、ヒンジ片によってテンプル本体の端部は回動可能に連結され、他端部には金属芯が内蔵されて形状が任意に変形できるモダン部が設けられて、長さはテンプル本体の小突起とモダン部のスライド孔と嵌合穴によって任意に調整できることにより、使用者の耳介部と正しく係合することを特徴とする眼鏡用テンプル。
【考案の詳細な説明】
【技術分野】
【０００１】  本発明は、長さおよび形状の調整が可能な眼鏡用テンプルに関するものである。
【背景技術】
【０００２】  一般に眼鏡フレームのテンプルは、テンプル本体とそれを被覆するモダン部で構成され、テンプルの長さはフレーム毎に決められており、モダン部の曲げによって使用者各人の耳介部への調整をする。【０００３】  また、使用者の鼻梁部から耳介部までの距離に合わせて、長さが調整可能な特開２００３−３１５７４５号のような眼鏡用テンプルがある。
【先行技術文献】
【特許文献】
【０００４】
【特許文献１】特開２００３−３１５７４５号広報
【考案の概要】
【考案が解決しようとする課題】
【０００５】  上記のような一般にある、モダン部の曲げだけによって耳介部への調整をするテンプルの場合は、長さの調整はできない。したがって使用者各人に最も適するように調整するのは非常に困難を要するのが実情である。またモダン部の形状を無理やり使用者の耳介部に沿わせるためモダン部の変形が極端になり、美観を損なうという問題がある。さらに、子供が使用者の場合は、視力が変らずとも成長に合わせて眼鏡フレームを買い替える必要が生じる問題がある。【０００６】  また特許文献１に示すものにあっては、使用者の耳介部に当接するモダン内部に芯がない為、個人差のある前記耳介部に沿わせるように形状を変形させることができず、眼鏡フレーム装着時に違和感や痛みをともなう。またテンプル本体とモダン部は板ばねを介して嵌合するため、パーツ構成が複雑になり故障が起こる可能性が増える。またそれに伴う生産工程の多さが問題である。
【課題を解決するための手段】
【０００７】  上記の課題を解決するために、この発明においては、テンプル本体の後端部に小突起を設け、モダン部にテンプル本体を挿入し移動可能にする為のスライド孔と、前記小突起と嵌合するための複数の穴を設け、さらにモダン部の内部に予め金属芯を内蔵する構成を採用している。
【考案の効果】
【０００８】  上記のように構成すれば、テンプルの長さを簡単に調整でき、個人差のある耳介部形状に簡単にモダン部を正しく係合することができる。また、無理やりモダン部の形状を変形しないため美観を損なう問題もない。
とくに成長過程にある子供用には成長に合わせて調整できる為、眼鏡フレームを買い替える必要もなく最適である。また、パーツの構成も最小限であり、故障の可能性も少なく、さらに生産工程も少なく安価に提供できる。
【図面の簡単な説明】
【０００９】
【図１】この発明によるテンプルのモダン嵌合前の実施例を示す斜視図である。
【図２】（ａ）はテンプル本体３のモダン嵌合時、テンプルの長さをもっとも長くなるよう小突起６をモダン部の穴９ａに固定し、モダン部を伸ばした状態を示す平面図である。（ｂ）は（ａ）の側面図である。
【図３】（ｃ）はテンプル本体３のモダン嵌合時、テンプルの長さをもっとも短くなるよう小突起をモダン部の穴９ｅに固定し、モダン部を使用者の耳介部に合わせるように曲げた状態を示す平面図である。（ｄ）は（ｃ）の側面図である。
【考案を実施するための形態】
【００１０】  このテンプルは眼鏡枠の両端にヨロイ部を介して取り付けて使用する。使用者はテンプルを適正な長さに調節し、モダン部を両耳介部形状に沿わせて装着して使用する。
【実施例】
【００１１】  以下、この発明の実施例を添付図面に基づいて説明する。【００１２】  図示のように、眼鏡フレームのレンズが装着されるリム１の外側上部に取り付けられたヨロイ部２に、テンプル本体３がヒンジ４を介して回動可能に連結されている。【００１３】  ヒンジ４は一対のヒンジ片４ａ、４ｂを有し、一方のヒンジ片４ａがヨロイ部２に、他方のヒンジ片４ｂがテンプル３本体の一端部にロウ付け等の手段で固着されている。【００１４】  テンプル本体３の他端部にはモダン部５が設けられている。このテンプル本体３の後端部分には小突起部６が設けられている。【００１５】  モダン部５には金属芯７が内蔵され、テンプル本体３が移動可能できるためのスライド孔８が設けられている。【００１６】  さらにモダン部５にはテンプル本体３の小突起６を嵌合できるための穴９ａ〜９ｅが複数設けられている。【００１７】  テンプル本体３をモダン部のスライド孔８内を移動させ、モダン部の穴９ａ〜９ｅのいずれかで小突起６を嵌合することにより、テンプルの長さを調節し、金属芯７が内蔵されたモダン部５の形状を変形させて、使用者の耳介部形状に沿わせ係合する。
【符号の説明】
【００１８】  １  リム
２  ヨロイ部
３  テンプル本体
４  ヒンジ
５  モダン部
６  小突起
７  金属芯
８  スライド孔
９ａ〜９ｅ  嵌合穴
【図１】
0003150086.tif 000003
【図２】
0003150086.tif 000004
【図３】
0003150086.tif 000005
(57)【要約】      （修正有）【課題】絶縁部を設けた芯線部と切り欠いたケーブル差し込み部を設けた接栓を提供する。【解決手段】切り欠いたケーブル差し込み部１を接栓部２に設け、芯線部３に絶縁部４を設ける。同軸ケーブルの芯線の絶縁体の太さに応じて切り欠いたケーブル差し込み部を調整することで一つの接栓で対応することができ、容易に取り付けをすることができる。また、同軸ケーブルの芯線に絶縁部を設けた芯線部を密に触れ合う状態で芯線と絶縁体の間に差し込むので、同軸ケーブルを取り付けるための加工をしなくてもよく、容易に取り付けをすることができる。【選択図】図４
0003150085.tif 000002
【実用新案登録請求の範囲】
【請求項１】
切り欠いたケーブル差し込み部を設けた接栓部からなる接栓。
【請求項２】
絶縁部を設けた芯線部と切り欠いたケーブル差し込み部を設けた接栓部からなる接栓。
【考案の詳細な説明】
【技術分野】
【０００１】  本考案は、切り欠いたケーブル差し込み部を設けた接栓に関するものである。
また、本考案は、絶縁部を設けた芯線部と切り欠いたケーブル差し込み部を設けた接栓に関するものである。
【背景技術】
【０００２】  従来の接栓は、３Ｃ同軸ケーブルには３Ｃ同軸ケーブル用接栓、４Ｃ同軸ケーブルには４Ｃ同軸ケーブル用接栓、５Ｃ同軸ケーブルには５Ｃ同軸ケーブル用接栓と同軸ケーブルの太さに応じてそれぞれの接栓が必要であり、一つの接栓で対応できるものはなかった。
また、同軸ケーブルを接栓に取り付けるためには、同軸ケーブルの外被をむき、編組線を少し残して切り落とし、芯線を覆っている絶縁体を編組線より少し出るようにして残し、適切な長さの芯線が出るように加工しなければならなかった。
【考案の開示】
【考案が解決しようとする課題】
【０００３】  従来は次のような欠点があった。
従来の接栓は、３Ｃ同軸ケーブル、４Ｃ同軸ケーブル、５Ｃ同軸ケーブルに一つの接栓で対応できるものはなかった。
また、同軸ケーブルを接栓に取り付けるために加工しなければならず不便であった。
本考案は、上記の欠点を除くためになされたものである。
【課題を解決するための手段】
【０００４】  切り欠いたケーブル差し込み部を接栓部に設ける。
芯線部に絶縁部を設ける。
本考案は、以上のような構成により問題点を解決している。
【考案の効果】
【０００５】  同軸ケーブルの芯線の絶縁体の太さに応じて切り欠いたケーブル差し込み部を調整することで一つの接栓で対応することができ、容易に取り付けをすることができる。
また、同軸ケーブルの芯線に絶縁部を設けた芯線部を密に触れ合う状態で芯線と絶縁体の間に差し込むので、同軸ケーブルを取り付けるための加工をしなくてもよく、容易に取り付けをすることができる。
【考案を実施するための最良の形態】
【０００６】  切り欠いたケーブル差し込み部を設けた接栓部からなる接栓。
絶縁部を設けた芯線部と切り欠いたケーブル差し込み部を設けた接栓部からなる接栓。
【実施例】
【０００７】  以下、本考案の実施例について説明する。
切り欠いたケーブル差し込み部１を設けた接栓部２からなる接栓。
切り欠いたケーブル差し込み部１は同軸ケーブルの芯線５を覆っている絶縁体６の太さに応じて調整するのためのものである。
芯線部３に絶縁部４を設ける。
同軸ケーブルの芯線５と絶縁体６の間のところに芯線部３を芯線５と密に触れ合う状態で差し込み、同軸ケーブルの絶縁体６と編組線７の間のところに切り欠いたケーブル差し込み部１を同軸ケーブルの絶縁体６の太さに応じて調整して編組線７と密に触れ合う状態で差し込む。
同軸ケーブルに取り付け後は、取り付けた部分をかしめ用リングでかしめて圧着するのは従来どおりなので各図において、かしめ用リングは省略している。
切り欠いたケーブル差し込み部の数、大きさ、形状、位置、材質をいろいろにすることにより多種多様にできる。
接栓部の大きさと切り欠いたケーブル差し込み部の数、大きさ、形状、位置、材質により他の同軸ケーブルに対応したものもできる。
【図面の簡単な説明】
【０００８】
【図１】本考案の前方からの斜視図である。
【図２】本考案の後方からの斜視図である。
【図３】本考案の側面図である。
【図４】本考案の断面図である。
【図５】本考案の５Ｃ同軸ケーブルを取り付けた断面図である。
【図６】本考案の４Ｃ同軸ケーブルを取り付けた断面図である。
【図７】本考案の３Ｃ同軸ケーブルを取り付けた断面図である。各図の各部において主要部以外は省略している。各図の各部において波線以外の部分は省略している。各図の各部において取り付けた部分を圧着するかしめ用リングは省略している。
【符号の説明】
【０００９】  １  切り欠いたケーブル差し込み部
２  接栓部
３  芯線部
４  絶縁部
５  芯線
６  絶縁体
７  編組線
８  外被
【図１】
0003150085.tif 000003
【図２】
0003150085.tif 000004
【図３】
0003150085.tif 000005
【図４】
0003150085.tif 000006
【図５】
0003150085.tif 000007
【図６】
0003150085.tif 000008
【図７】
0003150085.tif 000009